(57)【特許請求の範囲】
【請求項１】
床、壁、ドア面壁に固定されるストッパー本体（１）と、ストッパー本体（１）に着脱自在に装着されるくさび体（２）とを備えている直方体状のドアストッパーであって、
くさび体（２）は、直方体状のドアストッパーの突端面と斜めの分割面とでくさび状に形成されており、
ストッパー本体（１）とくさび体（２）との接合面（３）に、互いに凹凸係合してくさび体（２）の装着状態を保持する突起（４）と凹部（５）とが形成してあるドアストッパー。
【請求項２】
床、壁、ドア面壁に固定されるストッパー本体（１）と、ストッパー本体（１）に着脱自在に装着されるくさび体（２）とを備えている、楕円柱状のドアストッパーであって、
くさび体（２）は、楕円柱状のドアストッパーの突端面と斜めの分割面とでくさび状に形成されており、
ストッパー本体（１）とくさび体（２）との接合面（３）に、互いに凹凸係合して、くさび体（２）の装着状態を保持する軸（１８）と軸穴（１９）とが形成してあるドアストッパー。  
【発明の詳細な説明】
【技術分野】
【０００１】
本発明は、ドアを開放操作した場合にドアやドアノブが壁面に衝突するのを防止でき、あるいは任意の開放位置で固定保持できるドアストッパーに関する。
【背景技術】
【０００２】
本発明のドアストッパーは、床あるいは壁に固定されるストッパー本体と、ストッパー本体に対して着脱されて、ドアを任意の開放位置で固定保持するくさび体とで構成するが、この種のドアストッパーは特許文献１に公知である。そこでは、丸軸状の戸当り本体と、戸当り本体と共に床面に固定されるホルダーと、ホルダーに着脱されるくさび体などで、ドアストッパーをスリーピース構造に構成している。戸当り本体の上端にはゴム製の緩衝体がリング状に張り出してある。ホルダーは、ドアの衝突衝撃を戸当り本体と協同して受け止めるために設けられており、戸当り本体が内嵌される筒壁と、筒壁の周面一部から床面にそって張り出される脚部を備えている。この脚部にくさび体を収容する収納穴が貫通形成してある。
【先行技術文献】
【特許文献】
【０００３】
【特許文献１】登録実用新案第３１２３７７１号公報（段落番号０００８〜０００９、図１、図７参照）
【発明の概要】
【発明が解決しようとする課題】
【０００４】
特許文献１のドアストッパーによれば、開放されたドアを戸当り本体で受け止めて、ドアノブが壁面に衝突するのを防止できる。また、くさび体を使用することにより、ドアを任意の開放位置に固定保持でき、使用後のくさび体は、ホルダーの脚部に設けた収納穴に差し込んで収納できる。しかし、戸当り本体およびホルダーとくさび体とでドアストッパーをスリーピース構造に構成するので、求められている機能が単純であるにもかかわらず、全体構造が複雑でコストが高く付く。
【０００５】
また、特許文献１のドアストッパーによれば、くさび体を収納穴に対して出し入れ自由に収納するので、歩行者がホルダーに躓いたり、床クリーナーがホルダーに衝突するような場合に、くさび体がホルダーから飛び出して分離し、紛失しやすい。さらに、くさび体をホルダーに設けた収納穴に収容するので、くさび体をホルダーの大きさを越えて大きくすることができず、実用上の使い勝手に問題がある。例えば、ドアパネルの下面と床面との隙間が大小に変化する場合に対応できない。ストッパー本体およびホルダーを床面に固定するので、ドアを閉じた状態においてドアストッパーが目立ってしまい、ドアストッパーが設置された周辺空間の雰囲気が損なわれやすい。戸当り本体とホルダーとが協同してドアの開放限界を規制するとき、くさび体がなんら機能しない点にも問題がある。
【０００６】
本発明の目的は、ストッパー本体と、同本体に対して着脱自在できるくさび体とでツーピース構造に構成されており、従来のスリーピース構造のドアストッパーに比べて、全体構造を簡素化し、さらに製造コストが少なくて済むドアストッパーを提供することにある。
本発明の目的は、ストッパー本体に対して着脱自在であるにもかかわらず、くさび体をストッパー本体に装着した状態においては、使用者の明確な意図がない限りは分離できず、したがってくさび体の分離や紛失を確実に防止できるドアストッパーを提供することにある。
本発明の目的は、くさび体をストッパー本体と概ね同じ大きさに形成して実用上の使い勝手を向上でき、さらにストッパー本体に装着した状態においては、ドアの衝突衝撃を協同して受け止めることができるドアストッパーを提供することにある。
本発明の目的は、全体がストッパー本体とくさび体とでツーピース構造に構成されており、構造が簡単な分だけ外観のデザインを簡素ですっきりとしたものにして、違和感を伴うこともなく設置できるドアストッパーを提供することにある。
【課題を解決するための手段】
【０００７】
本発明に係るドアストッパーのひとつは、図１に示すように、床、壁、ドア面壁に固定されるストッパー本体１と、ストッパー本体１に着脱自在に装着されるくさび体２とを備えており、全体が直方体状に構成してある。くさび体２は、直方体状のドアストッパーの突端面と斜めの分割面とでくさび状に形成する。ストッパー本体１とくさび体２との接合面３に、互いに凹凸係合してくさび体２の装着状態を保持する突起４と凹部５とを形成する。
【０００８】
別のドアストッパーは、図１０に示すように、床、壁、ドア面壁に固定されるストッパー本体１と、ストッパー本体１に着脱自在に装着されるくさび体２とを備えており、全体が楕円柱状に構成してある。くさび体２は、楕円柱状のドアストッパーの突端面と斜めの分割面３とでくさび状に形成してある。ストッパー本体１とくさび体２との接合面３に、互いに凹凸係合して、くさび体２の装着状態を保持する軸１８と軸穴１９とを形成する。
【発明の効果】
【００１３】
本発明に係るドアストッパーは、ストッパー本体１と、ストッパー本体１に着脱自在に装着されるくさび体２とで構成した。このようにツーピース構造のドアストッパーによれば、従来のスリーピース構造のドアストッパーに比べて、全体構造を簡素化し、さらに製造コストが少なくて済むドアストッパーを提供できる。
また、ストッパー本体１とくさび体２との間に互いに凹凸係合する突起４と凹部５、あるいは軸１８と軸穴１９を設けて、ストッパー本体１に装着したくさび体２の装着状態を確実に保持できるようにした。このように、凹凸係合によってくさび体２の装着状態を保持するドアストッパーによれば、くさび体２をストッパー本体１に装着した状態においては、使用者の明確な意図がない限りは分離できず、したがってくさび体２の分離や紛失を確実に防止できるドアストッパーを提供できる。
【００１４】
さらに、直方体状のドアストッパーの突端面と斜めの分割面とでくさび状に形成したくさび体２によれば、くさび体２をストッパー本体１と概ね同じ大きさに形成できる。そのため、ドアパネルの下面と床との間隔が異なる場合にも、くさび体２の接合面３の上下厚みが異なる範囲内で対応でき、したがって実用上の使い勝手を向上できる。
【図面の簡単な説明】
【００１７】
【図１】実施例１に係るドアストッパーの斜視図である。
【図２】ドアストッパーの分解斜視図である。
【図３】図５におけるＡ−Ａ線断面図である。
【図４】図５におけるＢ−Ｂ線断面図である。
【図５】実施例１に係るドアストッパーの六面図である。
【図６】ドアストッパーの使用状態を示す斜視図である。
【図７】ドアストッパーのさらに別の使用状態を示す斜視図である。
【図８】ドアストッパーのさらに別の使用状態を示す斜視図である。
【図９】ストッパー本体の固定構造を示す断面図である。
【図１０】実施例２に係るドアストッパーの斜視図である。
【図１１】ドアストッパーの分解斜視図である。
【図１２】図１４におけるＣ−Ｃ線断面図である。
【図１３】図１４におけるＤ−Ｄ線断面図である。
【図１４】実施例２に係るドアストッパーの六面図である。
【図１５】ドアストッパーの使用状態を示す斜視図である。
【図１６】参考例１に係るドアストッパーの斜視図である。
【図１７】図１８におけるＥ−Ｅ線断面図である。
【図１８】参考例１に係るドアストッパーの六面図である。
【図１９】ドアストッパーの使用状態を示す斜視図である。
【図２０】参考例２に係るドアストッパーの斜視図である。
【図２１】図２２におけるＦ−Ｆ線断面図である。
【図２２】参考例２に係るドアストッパーの六面図である。
【図２３】ドアストッパーの使用状態を示す斜視図である。
【図２４】参考例３に係るドアストッパーの斜視図である。
【図２５】図２６におけるＧ−Ｇ線断面図である。
【図２６】参考例３に係るドアストッパーの六面図である。
【図２７】ドアストッパーの使用状態を示す斜視図である。
【図２８】参考例４に係るドアストッパーの斜視図である。
【図２９】図３１におけるＨ−Ｈ線断面図である。
【図３０】図３１におけるＩ−Ｉ線断面図である。
【図３１】参考例４に係るドアストッパーの六面図である。
【図３２】ドアストッパーの使用状態を示す斜視図である。
【発明を実施するための形態】
【実施例】
【００１８】
（実施例１）  図１ないし図９は本発明に係るドアスットパーの実施例１を示す。以下の実施例における前後・左右・上下とは、図１に示す交差矢印と、各矢印の先端に付記した前後・左右・上下の各表示に従うものとする。
【００１９】
図１において、ドアスットパーは左右横長の直方体状に形成してあり、左側端面の上端寄りから右側端面の下端寄りを結ぶ分割面で、ストッパー本体１とくさび体２とに区分してある。この分割面はストッパー本体１とくさび体２との接合面３となる。ストッパー本体１は床、壁、ドア面壁に固定される。くさび体２は、ドアストッパーの突端面と斜めの分割面３とでくさび状に形成されており、接合面３を介してストッパー本体１に着脱自在に装着される。くさび体２をストッパー本体１に装着した状態を保持するために、接合面３に互いに凹凸係合する突起４と溝（凹部）５とが形成してある。
【００２０】
図２に示すように、くさび体２の左右側端および上端には、長辺部と平行な４個の溝６が形成してあり、ストッパー本体１の左右側端にも溝７が形成してある。くさび体２をストッパー本体１に装着した状態においては、溝６と溝７とが連続して両者１・２の一体感を強調する。突起４はストッパー本体１の側の接合面３に、溝７と同じ間隔で突設してある。また、溝５はくさび体２の側の接合面３に溝６と同じ間隔で突設してある。
【００２１】
ストッパー本体１は、ゴムあるいはシリコンゴムなどの弾性材で構成してあり、先の突起４は金属板材で形成して、ストッパー本体１の成形時に埋設固定される。くさび体２はゴムあるいはシリコンゴムなどの弾性材で構成してあり、先の溝５はくさび体２の成形時に一体に形成する。くさび体２をストッパー本体１に装着した状態においては、突起４が溝５を弾性変形させた状態で密着しており、したがって、使用者の明確な意図がない限りは、くさび体２をストッパー本体１から分離できない。くさび体２とストッパー本体１との呈色状態は異ならせてあり、例えばストッパー本体１が黒色であるとき、くさび体２は赤色としてある。くさび体２をストッパー本体１に装着した状態の六面図を図５に示している。
【００２２】
以上のように構成したドアストッパーは、図６に示すようにストッパー本体１を、その左側端面が開放されたドアパネルＰと接当する状態で床に固定し、さらにくさび体２をストッパー本体１に装着した状態で使用する。また、図７に示すようにくさび体２をストッパー本体１から分離して、任意の開放位置においてドアパネルＰの下面と床との間に、くさび体２を差し込んでドアパネルＰを固定保持する。そのとき、ドアパネルＰの下端面をくさび体２の接合面３で受け止めるようにする。
【００２３】
上記構成のドアストッパーは、ストッパー本体１とくさび体２とでツーピース構造に構成するので、従来のスリーピース構造のドアストッパーに比べて、全体構造を簡素化して、その製造コストを削減できる。また、全体構造が簡単な分だけ、ドアストッパーの外観のデザインを簡素ですっきりとしたものにできるので、ドアストッパーを、その設置場所の雰囲気を損なうこともなく設置できる。くさび体２はストッパー本体１と概ね同じ大きさに形成される。そのため、ドアパネルの下面と床との間隔が異なる場合にも、くさび体２の接合面３の上下厚みが異なる範囲内で対応でき、したがって実用上の使い勝手を向上できる。
【００２４】
図８（ａ）〜（ｃ）は、それぞれドアストッパーの別の使用例を示す。図８（ａ）は、ストッパー本体１およびくさび体２の前後面のいずれかが、開放されたドアパネルＰと接当する状態でストッパー本体１を床に固定して使用する。この使用形態によれば、ドアパネルＰの衝突衝撃をストッパー本体１とくさび体２とが協同して受け止めることができる。
【００２５】
図８（ｂ）は、ストッパー本体１およびくさび体２が起立姿勢になる状態で、ストッパー本体１を床面に固定して使用する。その場合には、くさび体２が開放されたドアパネルＰと接当するようにストッパー本体１の向きを調整して、ドアパネルＰの衝突衝撃をストッパー本体１とくさび体２とが協同して受け止めるようにする。
【００２６】
図８（ｃ）は、ストッパー本体１およびくさび体２が起立姿勢になる状態で、ストッパー本体１をドアパネルＰに固定して使用する。その場合には、くさび体２が壁と接当するようにストッパー本体１の向きを調整して、ドアパネルＰの衝突衝撃をストッパー本体１とくさび体２とが協同して受け止めるようにする。図示していないが、ドアストッパーは、全開放されたドアパネルＰと対向する壁に装着することができる。
【００２７】
上記のように、ドアストッパーは必要に応じて種々の使用形態で使用することができるが、床、壁、ドア面壁に対するストッパー本体１の固定構造は、例えば図９に示す構造を適用することができる。そこでは、ストッパー本体１の内部にベース金具１０を埋設しておき、ベース金具１０を床に予め装着されたアンカーボルト１１にねじ込んで、ストッパー本体１を固定する。ベース金具１０は、中央にねじ穴１２が上下貫通状に形成してあるボス１３を有し、ボス１３の下端に抜止用のフランジ１４が下すぼまりテーパー状に張り出してある。ストッパー本体１の底面には装着穴１５を予め形成しておき、この装着穴１５にベース金具１０を圧嵌装着する。必要があれば、接着剤を装着穴１５に塗布した状態でベース金具１０を圧嵌装着してもよい。なお、図８（ｂ）に示すドアストッパーの使用形態においては、ベース金具１０をストッパー本体１の側端面に埋設する。
【００２８】
ストッパー本体１およびくさび体２は、それぞれ全体をゴムで形成する必要はなく、プラスチック製あるいは金属製の芯体と、芯体の外面を被覆する緩衝用のゴム層とで形成することができる。その場合には、突起４を芯体と一体に形成することができる。図６から図８に示すドアストッパーの使用形態、および図９に示すストッパー本体１の固定構造は、以下の各実施例においても同様に適用することができる。突起４は連続リブ状に形成する必要はなく、断続するリブや、一定間隔おきに設けた軸状の突起であってもよい。
【００２９】
（実施例２）  図１０ないし図１５は本発明に係るドアストッパーの実施例２を示す。そこではドアストッパーを楕円柱状に形成し、ドアストッパーを、その左側端面の上端寄りから右側端面の下端寄りにわたって斜めに分割し、ストッパー本体１とくさび体２とに区分した。この分割面はストッパー本体１とくさび体２との接合面３となる。ストッパー本体１は、床、壁、ドア面壁に固定される。くさび体２は、楕円柱状のドアストッパーの突端面と斜めの分割面３とでくさび状に形成されており、接合面３を介してストッパー本体１に着脱自在に装着される。
【００３０】
くさび体２をストッパー本体１に装着した状態を保持するために、接合面３に互いに凹凸係合してくさび体２の装着状態を保持する軸１８と、軸穴１９とが形成してある。図１３に示すように軸１８はストッパー本体１と一体に設けられて、接合面３の楕円長軸に沿う３個所に一定間隔おきに形成してある。くさび体２に形成される軸穴１９は、軸１８に対応して上下貫通状に形成してある。くさび体２をストッパー本体１に装着した状態では、軸１８と軸穴１９とは密着しており、歩行者がドアストッパーに躓いたり、床クリーナーがドアストッパーに衝突した程度では、くさび体２がストッパー本体１から外れることはない。くさび体２とストッパー本体１との呈色状態は異ならせてあり、例えばストッパー本体１が黒色であるとき、くさび体２は黄色としてある。くさび体２をストッパー本体１に装着した状態の六面図を図１４に示している。
【００３１】
以上のように構成したドアストッパーは、ストッパー本体１を、その前後面のいずれか一方が開放されたドアパネルＰと接当する状態で床に固定し、さらにくさび体２をストッパー本体１に装着した状態で使用する。また、図１５に示すように、任意の開放位置においてドアパネルＰの下面と床との間に、くさび体２を差し込んでドアパネルＰを固定保持する。そのとき、ドアパネルＰの下端面をくさび体２の接合面３で受け止めるようにする。軸１８は丸軸である必要はなく、角軸や楕円軸で形成することができる。他は、実施例１と同じであるので、同じ部材に同じ符号を付して、その説明を省略する。以下の実施例においても同じとする。
【００３２】
（参考例１）  図１６ないし図１９は本発明に係るドアストッパーの参考例１を示す。そこではドアストッパーを円柱状に形成する。ドアストッパーは、その大半を占めるゴム製のストッパー本体２１と、ストッパー本体２１の周面の大半を覆う金属製のシェル２２とで構成し、シェル２２から露出するストッパー本体２１の周面を、ドアパネルＰの衝突衝撃を受け止める接当部２３としている。
【００３３】
図１６に示すように、平面から見るときの接当部２３は扇形になっており、ストッパー本体２１の残る周面と上面とに、シェル２２の厚み分の段落ち面２４が形成してある。シェル２２は、優弧状の周側壁と、周側壁の上面を覆う上端壁とでキャップ状に形成してあり、ステンレス板や銅板などの金属板材にしてプレス加工で形成されて、先の段落ち面２４に接着固定してある。必要があれば、ストッパー本体２１の成形時にシェル２２をアウトサート固定することができる。ドアストッパーの六面図を図１８に示している。参考例１に係るドアストッパーの使用状態を図１９に示す。そこでは、ストッパー本体２１の接当部２３が、開放されたドアパネルＰと接当する向きにストッパー本体２１を床に固定して使用する。
【００３４】
上記のように、ストッパー本体２１とシェル２２とで構成したドアストッパーによれば、ドアの衝突衝撃を受けてストッパー本体２１が弾性変形するのをシェル２２で規制して、ストッパー本体２１が過剰に変形するのを防止できる。シェル２２でストッパー本体２１の下面側を覆うようにする場合には、実施例１で説明したベース金具１０をシェル２２に固定することができる。
【００３５】
（参考例２）  図２０ないし図２３は本発明に係るドアストッパーの参考例２を示す。そこではドアストッパーを上端が半球状に丸められた円柱状に形成する。ドアストッパーは、その大半を占めるゴム製のストッパー本体２１と、ストッパー本体２１の周面の大半を覆う金属製のシェル２２とで構成し、シェル２２から露出するストッパー本体２１の周面を、ドアパネルＰの衝突衝撃を受け止める接当部２３としている。
【００３６】
図２２の平面図に示すように、平面から見るときの接当部２３は花弁形になっており、ストッパー本体２１の残る周面と上面とに、シェル２２の厚み分の段落ち面２４が形成してある。シェル２２は、優弧状の周側壁と、周側壁の上面を覆う部分球面壁とでキャップ状に形成してあり、ステンレス板や銅板などの金属板材を素材にしてプレス加工で形成されて、先の段落ち面２４に接着固定してある。ドアストッパーの六面図を図２２に示している。参考例２に係るドアストッパーの使用状態を図２３に示す。そこでは、ストッパー本体２１の接当部２３が、開放されたドアパネルＰと接当する向きにストッパー本体２１を床に固定して使用する。
【００３７】
（参考例３）  図２４ないし図２７は本発明に係るドアストッパーの参考例３を示す。そこではドアストッパーを、卵を長軸に沿って２分割したような湾曲球面体状に形成する。ドアストッパーは、その大半を占めるゴム製のストッパー本体２１と、ストッパー本体２１の周面の大半を覆う金属製のシェル２２とで構成し、シェル２２から露出するストッパー本体２１の周面を、ドアパネルＰの衝突衝撃を受け止める接当部２３としている。
【００３８】
図２６の平面図に示すように、平面から見るときの接当部２３は花弁形になっており、ストッパー本体２１の残る周面と上面とに、シェル２２の厚み分の段落ち面２４が形成してある。シェル２２は、優弧状の周側壁と、周側壁の上面を覆う部分球面壁とでキャップ状に形成してあり、ステンレス板や銅板などの金属板材を素材にしてプレス加工で形成されて、先の段落ち面２４に接着固定してある。ドアストッパーの六面図を図２２に示している。参考例３に係るドアストッパーの使用状態を図２７に示す。そこでは、ストッパー本体２１の接当部２３が、開放されたドアパネルＰと接当する向きにストッパー本体２１を床に固定して使用する。
【００３９】
（参考例４）  図２８ないし図３２は、本発明に係るドアストッパーの参考例４を示す。そこでは、ゴム成形品からなるドアストッパーを、壁、またはドア面壁に固定される取付座３１と、取付座３１に連続して延出される弾性腕３２とで構成する。取付座３１と弾性腕３２とは、同じ厚みでＳ字状（またはＺ字状）に連続するように成形してあり、弾性腕３２の先端から取付座３１の上下中途部にわたってスリット３３が形成してある。このようにスリット３３を設けることにより、スリット３３で分断された弾性腕３２の弾性変形を促進できる。取付座３１の上端の両隅は丸められており、座面の２個所にビス穴３４が形成してある。弾性腕３２は、取付座３１の下端に連続する傾斜壁３２ａと、傾斜壁３２ａに連続して下向きに伸びる脚壁３２ｂとを備えている。取付座３１と傾斜壁３２ａとの間の屈曲部の下面と、脚壁３２ｂの下端面とは同一平面状に位置させてある。
【００４０】
ドアストッパーの六面図を図３１に示している。参考例４に係るドアストッパーの使用状態を図３２に示す。図３２（ａ）では、取付座３１を壁に締結し、弾性腕３２の脚壁３２ｂでドアパネルＰを受け止めて、ドアノブが壁に衝突するのを避けるようにしている。また、図３２（ｂ）では、取付座３１をドアパネルＰに締結し、弾性腕３２の脚壁３２ｂが壁と接当することで、ドアノブが壁に衝突するのを避けるようにしている。必要があれば、Ｓ字ないしＺ字状に折り曲げた板ばね製の芯材をドアストッパーにインサートして、弾性腕３２の反発力を高めることができる。
【符号の説明】
【００４１】
１  ストッパー本体
２  くさび体
３  接合面
４  突起
５  凹部（溝）
２１  ストッパー本体
２２  シェル
２３  接当部
【図１】
0005441263.tif 000002
【図２】
0005441263.tif 000003
【図３】
0005441263.tif 000004
【図４】
0005441263.tif 000005
【図５】
0005441263.tif 000006
【図６】
0005441263.tif 000007
【図７】
0005441263.tif 000008
【図８】
0005441263.tif 000009
【図９】
0005441263.tif 000010
【図１０】
0005441263.tif 000011
【図１１】
0005441263.tif 000012
【図１２】
0005441263.tif 000013
【図１３】
0005441263.tif 000014
【図１４】
0005441263.tif 000015
【図１５】
0005441263.tif 000016
【図１６】
0005441263.tif 000017
【図１７】
0005441263.tif 000018
【図１８】
0005441263.tif 000019
【図１９】
0005441263.tif 000020
【図２０】
0005441263.tif 000021
【図２１】
0005441263.tif 000022
【図２２】
0005441263.tif 000023
【図２３】
0005441263.tif 000024
【図２４】
0005441263.tif 000025
【図２５】
0005441263.tif 000026
【図２６】
0005441263.tif 000027
【図２７】
0005441263.tif 000028
【図２８】
0005441263.tif 000029
【図２９】
0005441263.tif 000030
【図３０】
0005441263.tif 000031
【図３１】
0005441263.tif 000032
【図３２】
0005441263.tif 000033